(57)【要約】本発明による偏平型振動モータは、回転時に振動力を発生させるロータ部と、その内部にロータ部を回転可能に結合させ、電源を伝達するステータ部と、ステータ部の下側ケースの一側から延長形成され、その上側に回路基板の一部が支持される固定支持台と、外部端子と接触される接触部、接触部に弾性を提供する弾性部および接触部と弾性部より両側端が広く形成されて回路基板と通電される接合部を備える１対の端子と、端子の各々の接触部および弾性部が貫通される支持ホールが形成され、固定支持台とステータ部に結合するベース部と、を含み、ベース部と固定支持台が結合される際、支持ホールの底面の周りにより端子の接合部が回路基板に電気的に連結されることを特徴とする。【選択図】図３
2008519684.tif 000002
【特許請求の範囲】
【請求項１】
回転時に振動力を発生させるロータ部と、
その内部に前記ロータ部を回転可能に結合させ、電源を伝達するステータ部と、
前記ステータ部の下側ケースの一側から延長形成され、その上側に回路基板の一部が支持される固定支持台と、
外部端子と接触される接触部、該接触部に弾性を提供する弾性部および前記接触部と弾性部より両側端が広く形成されて前記回路基板と通電される接合部を備える１対の端子と、
前記端子の各々の接触部および弾性部が貫通される支持ホールが形成され、前記固定支持台と前記ステータ部に結合するベース部と、を含み、
前記ベース部と前記固定支持台とが結合される際、前記支持ホールの底面の周りにより端子の接合部が回路基板に電気的に連結されることを特徴とする偏平型振動モータ。
【請求項２】
前記ベース部と前記固定支持台を機構的に結合させる結合手段をさらに含むことを特徴とする請求項１記載の偏平型振動モータ。
【請求項３】
前記結合手段は、前記固定支持台の両側端の少なくとも１つ以上の固定片と、前記ベース部の両側端の前記固定片と結着される固定段とを含むことを特徴とする請求項２記載の偏平型振動モータ。
【請求項４】
前記端子の接合部、前記固定支持台および前記ベース部にはホールが形成され、
前記結合手段は前記ホールを貫通してリベット処理されることを特徴とする請求項２記載の偏平型振動モータ。
【請求項５】
前記結合手段は、前記固定支持台および前記ベース部に上面から底面まで一列で形成されるホール、および前記ホールに結合されるリベットを含むことを特徴とする請求項２記載の偏平型振動モータ。
【請求項６】
前記接合部には底面に凹凸構造が形成され、
前記回路基板の上面には前記接合部と密着するように前記接合部の凹凸構造と対をなす凹凸構造が形成されることを特徴とする請求項１記載の偏平型振動モータ。
【請求項７】
前記ベース部および前記ステータ部は結合面に接着剤が塗布されることを特徴とする請求項１記載の偏平型振動モータ。
【請求項８】
前記支持ホールの一側の内壁の高さが他側の内壁の高さと互いに異なることを特徴とする請求項１記載の偏平型振動モータ。
【請求項９】
前記支持ホールは互いに分離され、前記支持ホールの内壁である支持壁により前記端子が支持されることを特徴とする請求項１記載の偏平型振動モータ。
【請求項１０】
回転時に振動力を発生させるロータ部と、
その内部に前記ロータ部を回転可能に結合させ、電源を伝達するステータ部と、
前記ステータ部の下側ケースの一側から延長形成され、その上側に回路基板の一部が支持される固定支持台と、
前記回路基板の一部と通電される接合部、外部端子と接触される接触部および該接触部と前記接合部との間に形成されて弾性を提供する弾性部を備える一対の端子と、
前記固定支持台と前記ステータ部に結合され、前記端子が挟まれる支持ホールが形成され、該支持ホールは前記端子の弾性変形をガイドするベース部と、
を含むことを特徴とする偏平型振動モータ。
【請求項１１】
前記固定支持台の両側端に少なくとも１つ以上の固定片が形成され、前記ベース部の両側端に前記固定片と結着される固定段が形成されて、前記ベース部と前記固定支持台が機構的に結合することを特徴とする請求項１０記載の偏平型振動モータ。
【請求項１２】
前記接合部は、前記支持ホールの大きさより大きく形成され、前記支持ホールの周りの前記ベース部の底面により固定されることを特徴とする請求項１０記載の偏平型振動モータ。
【請求項１３】
前記弾性部は屈曲部位を有し、
前記支持ホールの間に形成される支持壁は、前記弾性部の屈曲部位と等しいかまたは屈曲部位よりも高く形成されることを特徴とする請求項１０記載の偏平型振動モータ。
【請求項１４】
前記支持ホールは互いに分離され、前記支持ホールの内壁である支持壁により前記端子が支持されることを特徴とする請求項１０記載の偏平型振動モータ。
【請求項１５】
回転時に振動力を発生させるロータ部と、
前記ロータ部が回転可能に結合されるステータ部と、
前記ステータ部の下側ケースの一側から延長形成され、回路基板の一部が支持される固定支持台と、
前記回路基板と結合される接合部、外部端子と接触される接触部および該接触部と接合部との間に形成されて弾性力を提供する弾性部を具備する端子と、
前記固定支持台と前記ステータ部に結合され、前記端子の各々が支持されるベース部と、
を含み、
前記ベース部は、前記接合部の少なくとも一部が挟まれる段差空間を形成し、前記接合部は前記段差空間に挟まれた後、回路基板にハンダ付けされることを特徴とする偏平型振動モータ。
【請求項１６】
前記固定支持台の両側端に少なくとも１つ以上の固定片が形成され、前記ベース部の両側端に前記固定片と結着される固定段が形成されて前記ベース部と前記固定支持台が機構的に結合することを特徴とする請求項１５記載の偏平型振動モータ。
【請求項１７】
前記端子は、前記段差空間に結合される接合部の両側端が突出し、前記段差空間には前記両側端が突出した接合部の一側が結合されることを特徴とする請求項１５記載の偏平型振動モータ。
【請求項１８】
前記弾性部は屈曲構造を有し、屈曲した面の中で水平の部分の両側端が突出し、
前記段差空間は、前記両側端が突出した水平部と結合できるように前記ベース部の中間部分に形成されることを特徴とする請求項１５記載の偏平型振動モータ。
【請求項１９】
前記接合部は外側に露出した一部が前記回路基板とハンダ付けにより通電結合されることを特徴とする請求項１５記載の偏平型振動モータ。
【請求項２０】
前記段差空間は内部面に凹凸構造が形成され、
前記端子は前記段差空間との結合面に前記凹凸構造と対をなす凹凸構造が形成されることを特徴とする請求項１５記載の偏平型振動モータ。
【発明の詳細な説明】
【技術分野】
【０００１】
本発明は、振動モータに関し、より詳しくは、偏平型振動モータに関する。
【背景技術】
【０００２】
偏平型振動モータは、携帯電話、スマートフォン、ＰＤＡ（Personal Digital Assistant）などのような移動通信端末機および多様な電子機器に装着できる超小型モータであり、例えばコールセンターから信号が受信されると、音の代わりに振動で使用者にこれを知らせるときに使用できる部品である。
【０００３】
すなわち、マナーモードが設定された場合に移動通信端末機が振動するのは、このような偏平型振動モータが作動して生じる現象である。
【０００４】
偏平型振動モータは、コインぐらいのサイズで強い振動力を発生させることになるので、その結合構成が相対的に強くなければならないが、強い振動力により端子が変形して接点部位が変わる等の問題点が発生する場合がある。
【０００５】
図１は、従来技術に係る偏平型振動モータの見掛けを示す斜視図である。
【０００６】
図１によれば、従来技術に係る偏平型振動モータは、ステータ部１０、ステータ部の内部に位置するロータ部およびベース部３０を含んで構成される。
【０００７】
ステータ部１０は、ハウジングを形成してその内部にロータ部を回転可能に結合させ、ロータ部の振動力を外部に伝達する機能を遂行する。また、ステータ部１０は第２回路基板４０を備えてロータ部に電源を印加し、一側から延びた固定支持台１３を形成している。ここで、第２回路基板４０はステータ部１０から固定支持台１３にわたって支持される。
【０００８】
ベース部３０は、外部から電源が印加される端子５０を備えてステータ部１０と結合され、端子５０は固定支持台１３の第２回路基板４０と連結される。
【０００９】
詳細には、端子５０の下段部が、ベース部３０の底面と固定支持台１３の第２回路基板４０との間にハンダ付け８０で固定される。
【００１０】
ベース部３０は、ステータ部１０と接着剤９０により結合される。
【００１１】
この際、ベース部３０が組み立てられた後、端子５０が第２回路基板４０とハンダ付け８０を通じて結合される過程で種々の問題点が発生しうる。
【００１２】
まず、端子５０は、下段部がハンダ付け８０により第２回路基板４０に固定され、残りの部分は外部に開放されている。したがって、製造過程で外力を受けたりあるいは移動通信端末機のような製品に装着されて荷重を受ける場合に、端子５０のハンダ付け８０部位が変形されたり分離されることによって、端子５０および外部端子の接点が維持できない問題が発生しうる。
【００１３】
特に、ハンダ付けが硬化する前にわずかな力が加えられても結合部位が容易に変形しうるし、こてによる作業中に、液状のハンダが偏平型振動モータの各構成部に付着しうる。このような場合、端子の接触不良が発生しうる。また、見掛けも良くないので、製品の品位が低下しうる。
【００１４】
そして、ハンダ付け工程中に過度な熱が発生して、ベース部３０が熱変形したり焼けたりするおそれがあるので、製品不良率の最小化の障害となる。
【００１５】
一方、接着剤９０により結合されたベース部３０とステータ部１０は、接着剤９０の硬化の程度と、使用者の誤りで移動通信端末機が落下する場合のように衝撃が加えられる外部環境とによって、ステータ部１０およびベース部３０の結合面がぴったり付かなかったり分離したりする問題が発生しうる。
【００１６】
このように、ステータ部１０とベース部３０の結合に問題が発生すれば、端子５０と回路基板４０の連結にも障害がもたらされ、電源の印加が正しくなされなくなる。
【００１７】
図２は、図１に示された偏平型振動モータのベース部３０および端子５０がステータ部に結合される形態を示す斜視図である。
【００１８】
図２によれば、固定支持台１３は四角板形状であって、下側ケース１２の一側から延長形成され、第２回路基板４０が固定支持台１３の上側に配置される。
【００１９】
端子５０は、接触部５２、弾性部５４および接合部５６で形成される。接合部５６は第２回路基板４０とベース部３０との間に挟まれて固定され、第２回路基板４０の通電部４０ａとハンダ付けにより結合される。
【００２０】
しかしながら、図２に示すように、端子５０の接合部５６のみが固定されたまま、弾性部５４および接触部５２はベース部３０に形成された壁によって支持されておらず、外部に露出している。したがって、端子５０が収縮する場合、支持されたり外力から保護されるために足りない点がある。
【００２１】
上述の構造を有する従来の偏平型振動モータが移動通信端末機のような製品に装着されれば、接触部５２は電流を受けるために移動通信端末機の電源端子と接触することになり、この際、接触部５２および弾性部５４は電源端子との接点位置で所定の圧力を受ける。
【００２２】
しかしながら、弾性部５４は四方で支持されていない状態であるので、所定方向に荷重が発生すれば歪みや崩れなどの変形が発生し、移動通信端末機の電源端子との接点位置がずれるなどの問題点が発生する。このような場合、製品を生産する工程で組立不良が発生しうる。
【００２３】
また、端子５０が所定の圧力を耐えることができず、ベース部３０の開放された部分に向けて変形すると、弾性率が低下し、外部端子と接触する際、適切な弾性力を持たなくなるという問題がある。
【００２４】
また、従来の偏平型振動モータは、その製造工程および組立工程が多少複雑であるという問題がある。
【発明の開示】
【発明が解決しようとする課題】
【００２５】
本発明は、ベース部、端子、およびステータ部の組立が容易な偏平型振動モータを提供することを目的とする。
【００２６】
また、本発明は、ベース部およびステータ部が堅く結合され、かつ、端子の変形を防止する偏平型振動モータを提供することを目的とする。
【００２７】
また、本発明は、ベース部とステータ部の機構的な結合構造を用いて、端子と回路基板とを電気的に安定して連結することができる偏平型振動モータを提供することを目的とする。
【００２８】
また、本発明は、端子の弾性部の変形を防止するようにベース部の支持構造が改善された偏平型振動モータを提供することを目的とする。
【００２９】
また、本発明は、ベース部に端子を容易に組み立てることができる構造を有し、かつ、端子が外部端子と常に一定の位置で接点位置を形成するようにした偏平型振動モータを提供することを目的とする。
【課題を解決するための手段】
【００３０】
本発明による偏平型振動モータは、回転時に振動力を発生させるロータ部と、その内部にロータ部を回転可能に結合させ、電源を伝達するステータ部と、ステータ部の下側ケースの一側から延長形成され、その上側に回路基板の一部が支持される固定支持台と、外部端子と接触される接触部、接触部に弾性を提供する弾性部および接触部と弾性部より両側端が広く形成されて回路基板と通電される接合部を備える１対の端子と、端子の各々の接触部および弾性部が貫通される支持ホールが形成され、固定支持台とステータ部に結合するベース部と、を含み、ベース部と固定支持台が結合される際、支持ホールの底面の周りにより端子の接合部が回路基板に電気的に連結されることを特徴とする。
【００３１】
また、本発明による偏平型振動モータは、回転時に振動力を発生させるロータ部と、その内部にロータ部を回転可能に結合させ、電源を伝達するステータ部と、ステータ部の下側ケースの一側から延長形成され、その上側に回路基板の一部が支持される固定支持台と、回路基板の一部と通電される接合部、外部端子と接触される接触部および接触部と接合部との間に形成されて弾性を提供する弾性部を備える１対の端子と、固定支持台とステータ部に結合され、端子が挟まれる支持ホールが形成され、支持ホールは端子の弾性変形をガイドするベース部と、を含むことを特徴とする。
【００３２】
また、本発明による偏平型振動モータは、回転時に振動力を発生させるロータ部と、ロータ部が回転可能に結合されるステータ部と、ステータ部の下側ケースの一側から延長形成され、回路基板の一部が支持される固定支持台と、回路基板と結合される接合部、外部端子と接触される接触部および接触部と接合部との間に形成されて弾性力を提供する弾性部を具備する端子と、固定支持台とステータ部に結合され、端子の各々が支持されるベース部と、を含み、ベース部は、接合部の少なくとも一部が挟まれる段差空間を形成し、接合部は段差空間に挟まれた後、回路基板にハンダ付けされることを特徴とする。
【発明の効果】
【００３３】
本発明による偏平型振動モータによれば、ベース部とステータ部の機構的な結合構造を用いることで端子と回路基板が電気的に安定した連結となり、ベース部の変形、接触不良、環境汚染などの各種弊害を予防する効果がある。
【００３４】
また、本発明によれば、端子が支持ホールの内壁により支持され、弾性力を有する垂直方向のみに収縮と膨脹が起こるようにガイドされるので、安定的に接点位置を維持することができ、側方向圧力、衝撃、または過度な荷重にも歪んだり変形したりすることが防止される効果がある。
【００３５】
また、本発明によれば、端子と端子との間の距離、モータ中心から端子との距離など、その寸法を一定に維持できる効果がある。
【００３６】
また、本発明によれば、端子が外部端子と接触する場合に必要以上の荷重を受けたとしても、弾性率の変形点に到達する前に支持されることによって、安定的に接点位置を形成することができる効果がある。
【００３７】
また、本発明によれば、ベース部、端子、およびステータ部を容易に組み立てることができるので、組立工程がより容易になり、費用を減少させ、生産能率を増大させることができる効果がある。
【発明を実施するための最良の形態】
【００３８】
以下、本発明の実施形態に係る偏平型振動モータを添付の図面を参照しつつ詳細に説明する。
【００３９】
図３は、本発明の実施形態に係る偏平型振動モータの内部構造を示す側断面図である。
【００４０】
本発明の実施形態に係る偏平型振動モータは、ロータ部１００、ステータ部２００およびベース部３００から構成される。ロータ部１００は、コイル１３０、樹脂物１４０、および第１回路基板１５０を含み、ステータ部２００は、上側ケース２１０、下側ケース２２０、第２回路基板２３０、ブラシ２４０、および永久磁石２５０を含む。また、ベース部３００は端子４００を具備している。
【００４１】
シャフト１１０は、下側ケース２２０に固定されてロータ部１００が回転する中心軸の機能をする。シャフト１１０とロータ部１００との間にはベアリング１２０が位置する。
【００４２】
第１回路基板１５０は、コイル１３０と電気的に連結されており、整流子（図示せず）を通じてブラシ２４０と接触して電力をコイル１３０に伝達する。
【００４３】
このような構成を通じて、ロータ部１００はステータ部２００内で偏心負荷をもって回転することによって、振動力を発生させる。偏心負荷を発生させるために、ロータ部１００に偏心手段を備えたり、ロータ部の形態を回転軸を中心に非対称的に形成することができる。
【００４４】
第２回路基板２３０は、ベース部３００の端子４００およびブラシ２４０と通電される。
【００４５】
永久磁石２５０は、ドーナツ形態でコイル１３０と磁界反発力を形成するように下側ケース２２０に位置する。
【００４６】
ベース部３００は、端子４００を備えて本発明の実施形態に係る偏平型振動モータに電源を提供する。本発明の実施形態に係る偏平型振動モータでは、端子４００を２つ具備しているが、他の個数を備えていてもよい。
【００４７】
（第１実施形態）
以下、添付の図面を参照しつつ本発明の第１実施形態に係る偏平型振動モータを詳細に説明する。
【００４８】
図４は、本発明の第１実施形態に係る偏平型振動モータのベース部３００、端子４００およびステータ部２００が結合される形態を示す斜視図である。
【００４９】
図４によれば、ステータ部２００の下側ケース２２０の一側に固定支持台２６０が延長形成されて、ベース部３００を支持する。
【００５０】
固定支持台２６０は、四角板形状であって、第２回路基板２３０がその上面に位置する。
【００５１】
端子４００は、接触部４１０、弾性部４２０および接合部４３０から構成される。本発明の第１実施形態では、端子４００は２つ備えられ、第２回路基板２３０の上で相互対向するように配置される。端子４００は他の個数備えられていてもよい。
【００５２】
端子４００の接合部４３０は、第２回路基板２３０の露出部の上面に形成された通電部２３０ａと結合され、モータが移動通信端末機に装着される場合、接触部４１０は移動通信端末機が具備する電源端子と接触される。
【００５３】
接合部４３０は、接触部４１０や弾性部４２０に比べて広い幅を有するようにその両側端が延長形成されていてもよい。
【００５４】
一方、弾性部４２０は接触部４１０と接合部４３０との間に形成されて弾性を提供する。弾性を提供するため、端子４００は張力のある金属で作成されてもよい。
【００５５】
端子４００は、コンタクトタイプ、あるいはスプリングタイプなどの多様な種類で備えられることができる。
【００５６】
ベース部３００には、端子４００の各々が挟まれる支持ホール３１０を形成することができる。
【００５７】
本発明の第１実施形態では、支持ホール３１０を複数個形成することができ、支持ホール３１０は互いに分離され、支持ホール３１０の内壁である支持壁３２０により端子４００を堅く支持することができる。
【００５８】
本発明の第１実施形態では、支持ホール３１０は２つ形成されているが、端子４００の個数に対応して他の個数で形成することができる。
【００５９】
端子４００の弾性部４２０および接触部４１０は、支持ホール３１０を貫通し、その中で少なくとも接触部４１０はベース部３００の上面に露出される。一方、端子４００の接合部４３０は、ベース部３００の底面、より詳しくは支持ホール３１０を形成する周りによってその両側端が引っ掛かることになる。
【００６０】
したがって、ベース部３００が固定支持台２６０に結合されると、端子４００の接合部４３０の両側端が支持ホール３１０の周りにより押さえられることになり、端子４００と第２回路基板２３０は堅く連結される。
【００６１】
また、ベース部３００の両側端には固定段３３０が各々形成され、固定支持台２６０の両側端には、固定段３３０と対応する固定片２２４を形成することができる。
【００６２】
ここで、固定段３３０および固定片２２４の個数および形態は多様に具備できるものであって、本発明の第１実施形態では、ベース部３００および固定支持台２６０の両側端に１つずつ形成され、四角形態を有する。
【００６３】
固定支持台２６０上に第２回路基板２３０、端子４００およびベース部３００が順次に位置されると、固定片２２４の端部が固定段３３０の上面側に折られて永久変形されることで、ベース部３００と固定支持台２６０が結合することになる。
【００６４】
このようなベース部３００と固定支持台２６０の物理的な結合に加えて、ベース部３００とステータ部２００との間に接着剤（図示していない）を塗布することにより、一層堅い結合を図ることができる。
【００６５】
前述した構造を通じて端子４００は第２回路基板２３０の通電部２３０ａとハンダ付けされる必要がない。この際、通電部２３０ａは、スズ合金、鉛合金、金または銀等の金属材質でメッキされることができる。また、端子４００の接合部４３０と通電部２３０ａとの間には高密度炭素繊維材質の複合フィルムのような電気導電性物質を塗布することで、通電を向上させることができる。
【００６６】
また、端子４００の弾性部４２０は、支持ホール３１０の内壁により保護されガイドされて、過度な収縮圧力または側方向衝撃が加わる場合、支持壁３２０によりその屈曲部位を支持することができる。
【００６７】
図５は、本発明の第１実施形態に係る偏平型振動モータにおいて接合部４３０の底面上に形成される凹凸構造４３０ａを例示した斜視図である。
【００６８】
図５に示すように、端子４００の接合部４３０と通電部２３０ａとの接触は、接合部４３０の底面に非平坦な構造、例えば、凹凸構造、またはエンボシング構造などを形成することでなされ、この結果、結合構造がより強固になる。
【００６９】
また、第２回路基板２３０の上面には接合部４３０の底面と対応して密着するように、凹凸構造またはエンボシング構造等（図示せず）を形成することができる。
【００７０】
固定段３３０および固定片２２４の結着構造は、他の機械的な結着方式を使用することもできる。例えば、リベット型結着方式を使用してもよい。
【００７１】
図６は、本発明の第１実施形態に係る偏平型振動モータのさらに別の実施形態のリベット繋ぎ方式が適用された例を示す斜視図である。
【００７２】
図６によれば、固定支持台２６０およびベース部３００には一列に形成されたホール（Ｂ）が上面から底面まで提供され、ここにリベット（Ａ）が挟まれることになる。すなわち、リベット（Ａ）は、固定支持台２６０、第２回路基板２３０、端子４００、およびベース部３００が順次に位置されると、上記ホール（Ｂ）に挟まれ、ベース部３００の底面側でリベット（Ａ）の端部を加工してベース部３００と固定支持台２６０を結合させることになる。
【００７３】
図６では、ベース部３００と固定支持台２６０の結合にリベット繋ぎを使用したが、ねじ結合もまた容易に適用することができる。
【００７４】
本発明の第１実施形態に係る偏平型振動モータによれば、機構的な結合構造を用いて端子と回路基板が安定的に連結されることによって、ハンダ付けによるベース部の変形、接触不良、環境汚染などの各種弊害を予防する効果がある。
【００７５】
また、本発明の第１実施形態によれば、このような結合構造により、生産コストが低減され、ベース部、端子、およびステータ部の組立工程の能率を向上させる効果が得られる。
【００７６】
（第２実施形態）
以下、添付の図面を参照しつつ本発明の第２実施形態に係るベース部３００’、端子４００’およびステータ部２００’の結合構造について説明する。
【００７７】
図７は本発明の第２実施形態に係る偏平型振動モータのベース部３００’、端子４００’およびステータ部２００’が結合される形態を示す斜視図であり、図８は本発明の第２実施形態に係る偏平型振動モータのベース部３００’と端子４００’が結合された状態を示す部分斜視図である。
【００７８】
図７および図８によれば、ステータ部２００’は下側ケースから延びた固定支持台２６０を形成しており、固定支持台２６０は四角板形状であって、その上側に第２回路基板２３０が固定される。
【００７９】
端子４００’は、各々接触部４１０、弾性部４２０および接合部４３０’で形成され、第２回路基板２３０上に相互対向するように配列される。
【００８０】
接合部４３０’は、第２回路基板２３０の通電部２３０ａとハンダ付けにより結合され、接触部４１０は移動通信端末機の電源端子と接触されて電源の供給を受ける。
【００８１】
次に、弾性部４２０は接触部４１０と接合部４３０’との間に形成されて弾性を提供し、中間部分が多少凹んで形成される。
【００８２】
端子４００’の接触部４１０が移動通信端末機の電源端子に接触されれば、その圧力により弾性部４２０は弾性的に収縮し、その反発力で接点が維持される。
【００８３】
一方、ベース部３００’には各々の端子４００’が挟まれる支持ホール３１０が形成され、その間に支持壁３２０が提供されるが、支持壁３２０はベース部３００’の本体と一体形成することができる。
【００８４】
また、本発明の第２実施形態に係る偏平型振動モータは、図７に示すように、ベース部３００’の両側端に固定段３３０を各々形成することができ、固定支持台２６０の両側端には固定段３３０と対応する固定片２２４を形成することができる。
【００８５】
ここで、固定段３３０および固定片２２４の個数および形態は多様に具備できるものである。本発明の第２実施形態では、ベース部３００’および固定支持台２６０の両側端に１つずつ形成され、四角形態を有することができる。
【００８６】
固定支持台２６０上に第２回路基板２３０、端子４００’およびベース部３００’を順次に配置し、固定片２２４の端部が固定段３３０の上面側に折られて永久変形されることで、ベース部３００’と固定支持台２６０を堅く結合することができる。
【００８７】
本発明の第２実施形態に係る偏平型振動モータでは、支持ホール３１０を２つ具備するが、端子４００’の個数に対応して他の個数を備えてもよい。
【００８８】
本発明の第２実施形態において、支持ホール３１０は四角形状で形成することができ、またその中間部分を多少凹んで形成して、受容する端子４００’との結合程度を改善することができる。
【００８９】
支持ホール３１０はホール構造であって、端子４００’の弾性部４２０が支持ホール３１０の内壁である支持壁３２０により堅く支持される。
【００９０】
弾性部４２０が支持ホール３１０の内部に位置することになり、接触部４１０は移動通信端末機の電源端子と連結されるように支持ホール３１０の上側に露出し、接合部４３０’は下側に露出して第２回路基板２３０と結合される。
【００９１】
本発明の第２実施形態において、端子４００’の接合部４３０’は、第２回路基板２３０との結合程度を強くするために多少広く形成されることができる。
【００９２】
前述した構造を通じて、端子４００’の弾性部４２０は支持ホール３１０の内壁により保護されガイドされ、過度な収縮圧力または側方向衝力が加えられた場合、支持壁３２０によりその屈曲部位を支持することができる。
【００９３】
また、弾性部４２０は、外部電源端子との安定した接触構造を維持することができるだけの移動空間を確保し、強く収縮される場合には支持壁３２０により支持できるように、支持ホール３１０の大きさと支持壁３２０の高さを調整することができる。
【００９４】
また、支持壁３２０は、端子４００’の弾性部４２０より等しいか高く形成されることによって、端子４００’を堅く支持する。
【００９５】
本発明の第２実施形態に係る偏平型振動モータによれば、端子が支持ホールの内壁により支持され、弾性力を有する垂直方向のみに収縮と膨脹が起こるようにガイドされるので、安定的に接点位置を維持することができ、側方向圧力、衝撃、または過度な垂直荷重にも歪んだり変形されることが防止される効果がある。
【００９６】
また、本発明の第２実施形態によれば、端子と端子との間の距離、モータ中心から端子との距離など、その寸法を一定に維持できる効果がある。
【００９７】
また、本発明の第２実施形態によれば、端子が外部端子と接触する場合に、必要以上の荷重を受けたとしても弾性率の変形点に到達する前に支持されることによって、安定的に接点位置を形成することができる効果がある。
【００９８】
（第３実施形態）
図９は、本発明の第３実施形態に係る偏平型振動モータのベース部３００”、端子４００”およびステータ部２００が結合される形態を示す分解斜視図である。
【００９９】
図９によれば、上側ケース２１０と下側ケース２２０を含むステータ部２００において、下側ケース２２０の一側に固定支持台２６０が形成されており、固定支持台２６０はベース部３００”の底面側が支持される四角板形状であって、上側に第２回路基板２３０が位置することになる。
【０１００】
本発明の第３実施形態に係る偏平型モータにおいて、端子４００”は接触部４１０、弾性部４２０”および接合部４３０”を含み、固定支持台２６０上で各々相互対向するように位置することができる。
【０１０１】
本発明の第３実施形態に係る偏平型モータにおいて、端子４００”は２つ備えられているが、他の個数で形成してもよい。
【０１０２】
接合部４３０”は、第２回路基板２３０の一部とハンダ付けにより連結されることができ、接触部４１０は移動通信端末機が具備する電源端子と接触することになる。
【０１０３】
接合部４３０”は両側端の一部が突出しているが、これはより広い面積をベース部３００”と第２回路基板２３０との間に堅く固定するためのものであり、また第２回路基板２３０と容易にハンダ付けされるためのものである。
【０１０４】
弾性部４２０”は、接触部４１０と接合部４３０”との間に形成されて弾性を提供する。したがって、端子４００”は金属性の弾性材質からなることが好ましい。弾性部４２０”は、弾性強度を維持するために屈曲構造を形成している。接触部４１０が外部電源端子に接触すると、弾性部４２０”の弾性により安定した接点を維持することになる。
【０１０５】
一方、ベース部３００”には、端子４００”の接合部４３０”が位置する所に段差空間３９０が形成されるが、段差空間３９０は接合部４３０”と相応するサイズを有するので、接合部４３０”は動かないように固定される。段差空間３９０の外側端は開放された構造を有することができる。
【０１０６】
本発明の第３実施形態において、接合部４３０”と段差空間３９０は四角形の板形状を有することとしたが、その形態および厚みは、いろいろな種類で備えられることができる。
【０１０７】
また、本発明の第３実施形態に係る偏平型振動モータは、図９に示すように、ベース部３００”の両側端には固定段３３０を各々形成することができ、固定支持台２６０の両側端には、固定段３３０と対応する固定片２２４を形成することができる。
【０１０８】
ここで、固定段３３０および固定片２２４の個数および形態は多様に具備できるものであって、本発明の第３実施形態では、ベース部３００”および固定支持台２６０の両側端に１つずつ形成され、四角形態を有することができる。
【０１０９】
図１０は、本発明の第３実施形態に係る偏平型振動モータのベース部３００”、端子４００”および固定支持台２６０が結合された形態を示す側面図および上面図である。
【０１１０】
図１０に示すように、ベース部３００”が固定支持台２６０と結合されると、端子４００”の内側に突出した接合部４３０”の一部４３０”ａが固定支持台２６０に固定され、上記外側に突出した接合部４３０”の一部４３０”ｂは外部に開放されて、第２回路基板２３０とハンダ付け４４０により結合される。
【０１１１】
このような構造を通して、ベース部３００”は、第２回路基板２３０の一部が位置した固定支持台２６０と優先的に結合され、外部に開放された面を通じて端子４００”が外部から押し込まれて挟まれた後、第２回路基板２３０にハンダ付けされる組立工程を有する。
【０１１２】
また、固定支持台２６０の上に第２回路基板２３０、端子４００”およびベース部３００”が順に配置されると、固定片２２４の端部が固定段３３０の上面側に折られて永久変形されることで、ベース部３００”と固定支持台２６０を堅く結合することができる。
【０１１３】
図１１は、本発明の第３実施形態に係る偏平型振動モータのベース部３００”、端子４００”および固定支持台２６０のさらに他の結合状態を示す側面図である。
【０１１４】
図１１によれば、ベース部３００”は、前述した本発明の第３実施形態と同一な形態の段差空間３９０および接合部４３０”の結合構造を有している。
【０１１５】
しかしながら、ベース部３００”には、上記屈曲構造を有する弾性部４２０”の中で底面と平行をなす最初の水平部４２０”ａが位置する地点に、他の段差空間３９０ａが形成されている。
【０１１６】
すなわち、ベース部３００”の下段部３４０は、弾性部４２０”の最初の屈曲した水平部４２０”ａの底面まで形成され、水平部４２０”ａの上面に、ベース部３００”の下段部３４０と共に上記他の段差空間３９０ａを形成させる構造物３５０が形成されている。
【０１１７】
このようなベース部３００”の構造を通じて、端子４００”の接合部４３０”および最初の水平部４２０”ａが固定支持されており、外部端子との荷重による離脱および変形のおそれをより減少させることができる。
【０１１８】
図１２は、本発明の第３実施形態に係る偏平型振動モータのベース部３００”、端子４００”および固定支持台２６０のさらに他の結合状態を示す側面図である。
【０１１９】
図１２によれば、本発明の第３実施形態によるベース部３００”、端子４００”および固定支持台２６０のさらに他の結合状態は、前述した本発明の第３実施形態と基本的に同一の構成を採用することができる。
【０１２０】
ところが、ベース部３００”の段差空間３９０に、上面に凹凸溝３１２ｂが形成されており、凹凸溝３１２ｂに合うように、接合部４３０”は両側端の中心を基準に屈曲がある凹凸片４３２ｂを形成している。
【０１２１】
したがって、端子４００”がベース部３００”に圧迫されて挿入されると、凹凸片４３２ｂおよび凹凸溝３１２ｂも共にぴったりに内挿される。同様に、上記外部に突出した接合部４３０”の一部は、第２回路基板２３０とハンダ付けにより通電結合されることができる。
【０１２２】
本発明の第３実施形態に係る偏平型振動モータによれば、ベース部、端子、およびステータ部を容易に組み立てることができるので、組立工程がより容易になり、費用を減少させ、生産能率を増大させることができる効果がある。
【産業上の利用可能性】
【０１２３】
以上、本発明に対してその好ましい実施形態を中心に説明したが、本発明が属する分野の通常の知識を有する者であれば本発明の本質的な特性から外れない範囲で以上に例示されていない種々の変形と応用が可能であることが分かる。
【０１２４】
このような変形と応用に係る差異点は添付の請求範囲に規定する本発明の範囲に含まれることと解釈されるべきである。
【図面の簡単な説明】
【０１２５】
【図１】従来技術に係る偏平型振動モータの見掛けを示す斜視図である。
【図２】図１に図示された偏平型振動モータのベース部および端子がステータ部に結合される形態を示す斜視図である。
【図３】本発明の実施形態に係る偏平型振動モータの内部構造を概略的に示す側断面図である。
【図４】本発明の第１実施形態に係る偏平型振動モータのベース部、端子およびステータ部が結合される形態を示す斜視図である。
【図５】本発明の第１実施形態に係る端子接触部の底面上に形成されるエンボシング突起を例示した斜視図である。
【図６】本発明の第１実施形態に係る偏平型振動モータにリベット繋ぎ方式が適用された例を示す斜視図である。
【図７】本発明の第２実施形態に係る偏平型振動モータのベース部、端子およびステータ部が結合される形態を示す斜視図である。
【図８】本発明の第２実施形態に係る偏平型振動モータのベース部と端子が結合された状態を示す部分斜視図である。
【図９】本発明の第３実施形態に係る偏平型振動モータのベース部、端子および固定支持台が結合される形態を示す分解斜視図である。
【図１０】本発明の第３実施形態に係る偏平型振動モータのベース部、端子および固定支持台が結合された形態を示す側面図および水平図である。
【図１１】本発明の第３実施形態に係る偏平型振動モータのベース部、端子および固定支持台の結合状態を示す側面図である。
【図１２】本発明の第３実施形態に係る偏平型振動モータのベース部、端子および固定支持台の結合状態を示す側面図である。
【図１】
2008519684.tif 000003
【図２】
2008519684.tif 000004
【図３】
2008519684.tif 000005
【図４】
2008519684.tif 000006
【図５】
2008519684.tif 000007
【図６】
2008519684.tif 000008
【図７】
2008519684.tif 000009
【図８】
2008519684.tif 000010
【図９】
2008519684.tif 000011
【図１０】
2008519684.tif 000012
【図１１】
2008519684.tif 000013
【図１２】
2008519684.tif 000014
【国際調査報告】
2008519684.tif 000015
2008519684.tif 000016